(57)【要約】【課題】フルキーボード機能を実現しつつ、操作部を介して文字入力等を行う際の操作性を向上させた携帯型端末装置を提供すること。【解決手段】本発明に係わる携帯型端末装置１００は、開放状態における表示部（１０１Ｔ、１０１Ｙ）と操作部（１０２Ｔ、１０２Ｙ）の連接関係の変更（図２（Ａ）〜図２（Ｄ）参照）に伴って、操作部（１０２Ｔ、１０２Ｙ）の入力モード、つまり、キー割り当てを変換し、さらに、前記入力モードの変換に伴って、変換された入力モードを表示部（１０１Ｔ、１０１Ｙ）に表示する。【選択図】図２
2009111850.tif 000002
【特許請求の範囲】
【請求項１】
略長方形状の表示部と操作部とが互いに対向して折り畳み可能に連接され、当該表示部と操作部が開放状態においては、前記表示部と操作部の相互の連接関係を、縦長又は横長の任意の組み合わせに可変な携帯型端末装置において、
前記開放状態における表示部と操作部の相互の連接関係の変更に伴って、前記操作部の入力モードを変換することを特徴とする携帯型端末装置。
【請求項２】
前記入力モードの変換に伴って、変換された入力モードを前記表示部に表示することを特徴とする請求項１に記載の携帯型端末装置。
【請求項３】
前記変換された入力モードの表示は、文字キー又は機能キーの入力モードであることを特徴とする請求項２に記載の携帯型端末装置。
【請求項４】
前記変換された入力モードにおける前記操作部の縦長又は横長の使用状態おいて、当該入力モードに対応する文字表示がハードウェアキーの表面に正立表示されていることを特徴とする請求項１〜３のいずれかに記載の携帯型端末装置。
【請求項５】
前記操作部は、前記変換された入力モードに対応するソフトウェアキーを表示することを特徴とする請求項１〜３のいずれかに記載の携帯型端末装置。
【発明の詳細な説明】
【技術分野】
【０００１】
本発明は、表示部と操作部とを備えた折り畳み型の携帯型端末装置に関する。
【背景技術】
【０００２】
近年、携帯電話機にＰＤＡ（Personal Digital Assistant）やパソコンの機能を取り込んで高機能化した携帯型端末装置、いわゆるスマートフォンが市場に流通している。この種の携帯型端末装置には文章等の入力を容易にするために、ＰＣ等のキーボード機能を実現するいわゆるフルキーボードが搭載されているものが存在する。
この携帯型端末装置に搭載されたフルキーボードは、例えば、端末本体の上部、画面の下部に固定的に配置されているものや、端末本体の下部にスライド形式で格納され、普段は隠れているが、スライドさせることによりキーボードが現れるものがある。
【０００３】
例えば、特許文献１には、回転軸を中心として、第１の操作部を有する第１筐体と、第２の操作部を有する第２の筐体とを任意の角度に展開できるようにして、フルキーボード機能を実現した携帯端末装置が開示されている。
【０００４】
また、特許文献２又は特許文献３に開示の携帯型端末装置のように、支軸を支点として開閉自在な２つの筐体から構成される折り畳み型の携帯型端末装置において、２つの筐体を開いたときにフルキーボードが現れる携帯端末装置が開示されている。
【特許文献１】特開２００７−６８２０７号公報
【特許文献２】特開２００２−３６８８５５号公報
【特許文献３】特開平１０−１９８２９１号公報
【発明の開示】
【発明が解決しようとする課題】
【０００５】
しかし、これらのスマートフォンは横幅が広すぎたり、また、縦長であったりと、通常の携帯電話機とは形状が異なるため、通話時の操作性が低いものが多い。
【０００６】
特許文献１に開示の携帯端末装置は、構成が煩雑である上に、第１の操作部と第２の操作部との位置関係の問題から、操作部を介して文字入力等を行う場合の操作性が低いという懸念がある。
【０００７】
また、特許文献２又は特許文献３に開示の携帯端末装置であっても、当該携帯端末装置を携帯電話機として用いる場合には、キーボードと液晶ディスプレイの位置関係の問題から、当該キーボードを介して文字入力等を行う場合の操作性が低いという懸念があった。
【０００８】
本発明は、かかる実情に鑑みてなされたものであり、フルキーボード機能を実現しつつ、操作部を介して文字入力等を行う際の操作性を向上させた携帯型端末装置を提供することを目的とする。
【課題を解決するための手段】
【０００９】
第１の技術手段は、略長方形状の表示部と操作部とが互いに対向して折り畳み可能に連接され、当該表示部と操作部が開放状態においては、前記表示部と操作部の相互の連接関係を、縦長又は横長の任意の組み合わせに可変な携帯型端末装置において、前記開放状態における表示部と操作部の相互の連接関係の変更に伴って、前記操作部の入力モードを変換することを特徴とする携帯型端末装置である。
【００１０】
第２の技術手段は、第１の技術手段において、前記入力モードの変換に伴って、変換された入力モードを前記表示部に表示することを特徴とするものである。
【００１１】
第３の技術手段は、第２の技術手段において、前記変換された入力モードの表示は、文字キー又は機能キーの入力モードであることを特徴とするものである。
【００１２】
第４の技術手段は、第１〜第３のいずれかの技術手段において、前記変換された入力モードにおける前記操作部の縦長又は横長の使用状態おいて、当該入力モードに対応する文字表示がハードウェアキーの表面に正立表示されていることを特徴とするものである。
【００１３】
第５の技術手段は、第１〜第３のいずれかの技術手段において、前記操作部は、前記変換された入力モードに対応するソフトウェアキーを表示することを特徴とするものである。
【発明の効果】
【００１４】
本発明により、フルキーボード機能を実現しつつ、操作部を介して文字入力等を行う際の操作性が向上するので、快適な入力操作を実現することができる。
【発明を実施するための最良の形態】
【００１５】
（実施例１）
図１は、本発明に係わる折り畳み型の携帯型端末装置１００の表示部１０１及び操作部１０２が折り畳まれている状態を示した図である。表示部１０１は、液晶パネル等の表示装置を有する筐体から構成され、操作部１０２は、ハードウェアキー等を有する筐体から構成される。そして、略長方形状の表示部１０１と操作部１０２とは、互いに対向して折り畳み可能に連接されている。
【００１６】
図２は、図１に示した携帯型端末装置１００の表示部１０１及び操作部１０２を開放状態にした様子を示した図である。
操作部１０２は、当該操作部１０２を表示部１０１に対して、縦長の状態から横長の状態、横長の状態から縦長の状態に回転可能にする回転機構（図示しない）を有する。
また、前記表示部１０１も、当該表示部１０１を前記操作部１０２に対して、縦長の状態から横長の状態、横長の状態から縦長の状態に回転可能にする回転機構を有する。
従って、後述するように、前記表示部１０１と前記操作部１０２が開放状態においては、前記表示部１０１と前記操作部１０２の相互の連接関係を、縦長又は横長の任意の組み合わせに可変にすることができる（図２（Ａ）〜図２（Ｄ）参照）。
なお、前記回転機構は、前記回転を可能にするものであれば、種類は問わず、従来から提案されている様々な機構を採用することができる。
【００１７】
図２（Ａ）は、縦長の状態にある表示部１０１Ｔ、同操作部１０２Ｔを示した図である。
図２（Ｂ）は、図２（Ａ）に示した、縦長の状態にある操作部１０２Ｔを横長の状態（横長の状態の操作部１０２Ｙ）に回転させた様子を示した図である。
図２（Ｃ）は、図２（Ａ）に示した、縦長の状態にある表示部１０１Ｔを横長の状態（横長の状態の表示部１０１Ｙ）に回転させた様子を示した図である。
図２（Ｄ）は、図２（Ｃ）に示した、縦長の状態にある操作部１０２Ｔを横長の状態（横長の状態の操作部１０２Ｙ）に回転させた様子を示した図である。又は、図２（Ｂ）に示した、縦長の状態にある表示部１０１Ｔを横長の状態（横長の状態の表示部１０１Ｙ）に回転させた様子を示した図である。
【００１８】
図３（Ａ）は、表示部１０１が縦長、操作部１０２が縦長（図２（Ａ）参照）の場合の操作部２００を示した図である。
操作部２００（図２（Ａ）の操作部１０２Ｔに対応）には、方向キー２０１、所定の機能を実行する機能キー（２０２〜２０５）、数字、文字、記号等を入力する文字入力キー（ハードウェアキー）２０６等から構成される。後述するように、文字入力キー２０６の表面には、文字入力キー２０６から入力されるデータ（数字、文字、記号データ）を識別するための識別記号（数字、文字、記号）が表示（プリント）されている。なお、２０７は、マイクである。
【００１９】
本発明に係わる携帯型端末装置１００は、開放状態における表示部１０１と操作部１０２の相互の連接関係を、縦長又は横長の任意の組み合わせに変更（図２（Ａ）〜図２（Ｄ）参照）することに伴って、操作部１０２の入力モード、つまり、キー割り当てを変換し、さらに、前記入力モードの変換に伴って、変換された入力モードを表示部１０１に表示する。
ここでは、変換された入力モードの表示は、文字キー又は機能キーの入力モードである。
【００２０】
つまり、表示部１０１及び操作部１０２の状態に対応して、表示されている識別記号の中の何れの識別記号が入力できるかを示す入力モード、例えば、“数字・記号入力モード”、“ひらがな入力モード”、“数字入力モード”、“英文字入力モード”が表示部１０１に表示される。
同様に、表示部１０１及び操作部１０２の状態に対応して、所定の機能を実行する機能キー（２０２〜２０５）に、どのような機能が割り振られているかを示す機能情報、例えば、電話発信機能、メール送信機能が表示部１０１に表示される。
【００２１】
また、操作部１０２の状態に対応して、前述した識別記号（数字、文字、記号）が、文字入力キー２０６の表面に表示（プリント）されている。
例えば、文字入力キーの一つ２０６Ｋの表面には、左上に“３”、右上に右方向に９０度回転させた“い”、右下に右方向に９０度回転させた“Ｗ”、左下に“３”がプリントされている。
それ故、後述の図３（Ａ）、図３（Ｃ）の状態では、左上、左下の“３”が、操作部２００（文字入力キー２０６）を左方向に９０度回転させた図３（Ｂ）、図３（Ｄ）の状態では、右上の“い”、右下の“Ｗ”が、正立表示される。
つまり、変換された入力モードにおける操作部１０２の縦長（図２（Ａ）、図２（Ｃ）参照）又は横長（図２（Ｂ）、図２（Ｄ）参照）の使用状態おいて、当該入力モードに対応する文字表示が文字入力キー２０６の表面に正立表示されている。
【００２２】
表示部１０１が縦長、操作部１０２が縦長の場合（図２（Ａ）参照）、文字入力キー２０６には、例えば、通常の電話操作のためのキー割り当てを行う。
具体的には、文字入力キーの一つ２０６Ｋには、文字入力キーの一つ２０６Ｋの表面の左上に示された“３”が割り当てられ、当該キー２０６Ｋをユーザが操作すると、“３”が入力される。
また、機能キー２０２、同２０４には、例えば、それぞれ、発信、着信機能を割り当てる。
この場合には、表示部１０１には、数字・記号入力モードであることが表示されるので、ユーザは、前記キー２０６Ｋを操作すれば、数字“３”が入力できることがわかる。
同時に、機能キー２０２、同２０４に、それぞれ発信、着信機能を割り当てたことを表示する。
【００２３】
図３（Ｂ）は、表示部１０１が縦長、操作部１０２が横長（図２（Ｂ）参照）の操作部を示した図である。
図示の場合には、表示部１０１が縦長、操作部１０２が横長であるので、例えば、ひらがな入力操作（メール用の文章入力）のためのキー割り当てを行う。
具体的には、図３（Ａ）で説明した、文字入力キーの一つ２０６Ｋには、当該キー２０６Ｋの表面の左上に示された“い”が割り当てられ、当該キー２０６Ｋをユーザが操作すると、“い”が入力される。
また、機能キー２０２、同２０３には、例えば、それぞれ、メール送信機能、メール保存機能を割り当てる。
この場合には、表示部１０１には、ひらがな入力モードであることが表示されるので、ユーザは、前記キー２０６Ｋを操作すれば、ひらがな“い”が入力できることがわかる。
同時に、機能キー２０２、同２０４に、それぞれ、メール送信機能、メール保存機能を割り当てたことを表示する。なお、図３（Ａ）の状態において、方向キー２０１の右移動に割り当てていたキーを、図３（Ｂ）では、上移動に割り当てる。
【００２４】
図３（Ｃ）は、表示部１０１が横長、操作部１０２が縦長（図２（Ｃ）参照）の場合の操作部を示した図である。
図示の場合には、表示部１０１が横長で、操作部１０２が縦長であるので、例えば、ワンセグテレビ放送等のテレビ視聴用のキー割り当てを行う。
具体的には、文字入力キーの一つ２０６Ｋには、文字入力キーの一つ２０６Ｋの表面の左下に示された“３”が割り当てられ、当該キー２０６Ｋをユーザが操作すると、“３”が入力される。
また、機能キー２０２、同２０４には、ビデオ視聴用の逆送り機能、早送り機能を割り当てる。
この場合には、表示部１０１には、数字入力モードであることが表示されるので、ユーザは、前記キー２０６Ｋを操作すれば、数字“３”が入力できることがわかる。
同時に、機能キー２０２、同２０４に、それぞれビデオ視聴用の逆送り機能、早送り機能を割り当てたことを表示する。
【００２５】
図３（Ｄ）は、表示部１０１が横長、操作部１０２が横長（図２（Ｄ）参照）の場合の操作部を示した図である。
図示の場合には、表示部１０１が横長で、操作部１０２が横長であるので、例えば、英文字入力操作（ＰＣのキーボード）のためのキー割り当てを行う。
具体的には、文字入力キーの一つ２０６Ｋには、文字入力キーの一つ２０６Ｋの表面の右上に示された“Ｗ”が割り当てられ、当該キー２０６Ｋをユーザが操作すると、“Ｗ”が入力される。
また、機能キー２０２、同２０３には、それぞれ、マウスの左クリック機能、同右クリック機能を割り当てる。
この場合には、表示部１０１には、英文字入力モードであることが表示されるので、ユーザは、前記キー２０６Ｋを操作すれば、数字“Ｗ”が入力できることがわかる。
同時に、機能キー２０２、同２０３に、それぞれマウスの左クリック機能、同右クリック機能を割り当てたことを表示する。
【００２６】
次に、前述したキー割り当てを可能にする、本発明に係わる携帯型端末装置１００を図４のブロック図を用いて説明する。
１０１は、液晶パネル、有機ＥＬパネル等から構成される表示部で、２００は、ハードウェアキーから構成される操作部（ハードウェアキー）である。
１０３は、表示部１０１の状態、つまり、表示部１０１が縦長か又は横長かを検出し、検出結果をキー入力制御部１０５に出力する表示部状態検出部である。
１０４は、操作部２００の状態、つまり、操作部２００が縦長か又は横長かを検出し、検出結果をキー入力制御部１０５に出力する操作部状態検出部である。
【００２７】
キー入力制御部１０５は、表示部状態検出部１０３が出力した表示部１０１の状態を示す検出結果、操作部状態検出部１０４が出力した操作部２００の状態を示す検出結果に応じて、操作部の文字入力キー２０６（図３参照）のキー割り当てを変換する。
具体的には、前述したように、キー入力制御部１０５は、表示部１０１が縦長、操作部１０２が縦長（図２（Ａ）参照）の場合には、入力モードを数字・記号入力モードに変換し、当該モード情報を表示部１０１に表示する。そして、操作部の文字入力キー２０６に、数字・記号入力用のキー割り当てを行う。
【００２８】
表示部１０１が縦長、操作部１０２が横長（図２（Ｂ）参照）、表示部１０１が横長、操作部１０２が縦長（図２（Ｃ）参照）、表示部１０１が横長、操作部１０２が横長（図２（Ｄ）参照）の場合にも、前述と同様に、それぞれ、入力モードをひらがな入力モード、数字入力モード、英文字入力モードに変換し、当該モード情報を表示部１０１に表示する。そして、操作部の文字入力キー２０６に、それぞれ、ひらがな入力用、数字入力用、英文字入力用のキー割り当てを行う。
【００２９】
そして、操作部の文字入力キー２０６が操作されると、割り当てられた入力モードに対応した入力データを、後述の制御部に出力する。
【００３０】
無線部１１１は、公衆網上の基地局やアクセスポイント等から無線により受信したデータを制御部１１５に出力する処理、制御部１１５が出力した送信用データを公衆網上の基地局や設置されているアクセスポイントへ送信する処理を実行する。
【００３１】
スピーカ１１２は、音声出力を行い、マイク１１３は、ユーザの音声などを音声データに変換し、制御部１１５に出力する。
【００３２】
制御部１１５は、携帯型端末装置１００の全体の制御を行い、記憶部１１４に記憶されている制御プログラムを用いて、通信制御や表示部１０１における表示画面の制御、操作部１０２又はキー入力制御部１０５から入力される入力データに係わる処理の制御を実行する。
【００３３】
図５は、前述したキー割り当て制御を説明するためのフロー図である。
ここでは、携帯型端末装置１００が、図２に示したように、表示部及び操作部を開いた状態にあることを前提に説明する。
表示部状態検出部１０３が表示部１０１の状態を、操作部状態検出部１０４が操作部１０２（２００）の状態を検出し、検出結果をキー入力制御部１０５に出力する（ステップＳ１、ステップＳ２）。
【００３４】
図２（Ａ）に示したように、表示部１０１が縦長（ステップＳ３／縦長）、操作部１０２が縦長（ステップＳ４／縦長）の場合には、キー入力制御部１０５は、入力モードを数字・記号入力モードに変換し、数字・記号入力用のキー割り当てを行う（ステップＳ５）。同時に、表示部１０１に、数字・記号入力モードであることを表示する。
【００３５】
図２（Ｂ）に示したように、表示部１０１が縦長（ステップＳ３／縦長）、操作部１０２が横長（ステップＳ４／横長）の場合には、キー入力制御部１０５は、入力モードをひらがな入力モードに変換し、ひらがな入力用のキー割り当てを行う（ステップＳ６）。同時に、表示部１０１に、ひらがな入力モードであることを表示する。
【００３６】
図２（Ｃ）に示したように、表示部１０１が横長（ステップＳ３／横長）、操作部１０２が縦長（ステップＳ７／縦長）の場合には、キー入力制御部１０５は、入力モードを数字入力モードに変換し、数字入力用のキー割り当てを行う（ステップＳ８）。同時に、表示部１０１に、数字入力モードであることを表示する。
【００３７】
図２（Ｄ）に示したように、表示部１０１が横長（ステップＳ３／横長）、操作部１０２が横長（ステップＳ７／横長）の場合には、キー入力制御部１０５は、入力モードを英文字入力モードに変換し、英文字入力用のキー割り当てを行う（ステップＳ９）。同時に、表示部１０１に、英文字入力モードであることを表示する。
【００３８】
次に、表示部状態検出部１０３が表示部１０１の状態の変化を、操作部状態検出部１０４が操作部１０２の状態の変化を監視し（ステップＳ１０）、表示部１０１、操作部１０２の状態が変化した場合には（ステップＳ１１／ＹＥＳ）、ステップＳ１以降の処理を実行する。
状態が変化しない場合には（ステップＳ１１／ＮＯ）、制御部１０５は、図１に示したように、携帯型端末装置１００が折り畳たまれたかを検知し、折り畳まれた場合には（ステップＳ１２／ＹＥＳ）、全処理を終了する。
折り畳まれていない場合には（ステップＳ１２／ＮＯ）、ステップＳ１０の処理を実行する。
【００３９】
（実施例２）
実施例１では、操作部をハードウェアキーから構成した携帯型端末装置について説明したが、実施例２では、操作部をタッチセンサ及び変換された入力モードに対応する、文字キー、機能キー等のソフトウェアキーを表示する表示パネル（表示部）を有する筐体から構成した携帯型端末装置について説明する。
【００４０】
図６（Ａ）は、表示部１０１が縦長、操作部１０２が縦長（図２（Ａ）参照）の場合の操作部２１０を示した図である。
操作部２１０（図２（Ａ）の操作部１０２Ｔに対応）には、例えば、電話操作用の入力モードに対応する、通常の電話操作をするためのソフトウェアキー３０１が表示される。なお、３１１は、マイクである。
このとき、通常の電話操作用の入力モードであることが表示部１０１等に表示される。
【００４１】
図６（Ｂ）は、表示部１０１が縦長、操作部１０２が横長（図２（Ｂ）参照）の操作部２１０を示した図である。
操作部２１０（図２（Ｂ）の操作部１０２Ｙに対応）には、例えば、文章入力用の入力モードに対応する、メール用の文章入力（ひらがな入力操作）のためのソフトウェアキー３０２が表示される。
このとき、文章入力用の入力モードであることが表示部１０１等に表示される。
【００４２】
図６（Ｃ）は、表示部１０１が横長、操作部１０２が縦長（図２（Ｃ）参照）の場合の操作部２１０を示した図である。
操作部２１０（図２（Ｃ）の操作部１０２Ｔに対応）には、例えば、テレビリモコン用の入力モードに対応する、ワンセグテレビ放送等のテレビ視聴用のソフトウェアキー３０３が表示される。
このとき、テレビリモコン用の入力モードであることが表示部１０１等に表示される。
【００４３】
図６（Ｄ）は、表示部１０１が横長、操作部１０２が横長（図２（Ｄ）参照）の場合の操作部２１０を示した図である。
操作部２１０（図２（Ｄ）の操作部１０２Ｙに対応）には、例えば、ＰＣ用キーボードの入力モードに対応する、英文字入力用（ＰＣのキーボード）のソフトウェアキー３０４が表示される。なお、テンキー等を必要に応じて表示することもできる。
このとき、英文字入力用の入力モードであることが表示部１０１等に表示される。
【００４４】
次に、ソフトウェアキーの表示を可能にする、本発明に係わる携帯型端末装置１００’を図７のブロック図を用いて説明する。
２１０は、タッチセンサ及びソフトウェアキーを表示する表示パネルから構成される操作部（ソフトウェアキー）で、変換された入力モードに対応するソフトウェアキーを表示する。
１０３’は、表示部１０１の状態、つまり、表示部１０１が縦長か又は横長かを検出し、検出結果をソフトウェアキー表示制御部１０６に出力する表示部状態検出部である。
１０４’は、操作部２１０の状態、つまり、操作部２１０が縦長か又は横長かを検出し、検出結果をソフトウェアキー表示制御部１０６に出力する操作部状態検出部である。
【００４５】
ソフトウェアキー表示制御部１０６は、表示部状態検出部１０３’が出力した表示部１０１の状態を示す検出結果、操作部状態検出部１０４’が出力した操作部２１０の状態を示す検出結果に応じて、ソフトウェアキーの種類と配置位置に係わる表示制御を実行する。
つまり、ソフトウェアキー表示制御部１０６は、ソフトウェアキー記録部１０７に記録されている様々なパターンのソフトウェアキーの中から、表示部１０１の状態、操作部２１０の状態に適した、ソフトウェアキーを選択し、選択したソフトウェアキーを操作部２１０の表示パネルに表示する。
ソフトウェアキー記録部１０７は、図６に示した操作部を実現するための、様々なパターンのソフトウェアキー（データ）を記録する。
【００４６】
前記ソフトウェアキーの選択、及び、表示処理について具体的に説明する。
ソフトウェアキー表示制御部１０６は、表示部１０１が縦長、操作部１０２が縦長（図２（Ａ）参照）の場合には、図６（Ａ）に示したソフトウェアキー（データ）をソフトウェアキー記録部１０７から取得し、取得したソフトウェアキーを操作部２１０の表示パネルに表示する。
【００４７】
表示部１０１が縦長、操作部１０２が横長（図２（Ｂ）参照）、表示部１０１が横長、操作部１０２が縦長（図２（Ｃ）参照）、表示部１０１が横長、操作部１０２が横長（図２（Ｄ）参照）の場合にも、前述と同様に、それぞれ、図６（Ｂ）、図６（Ｃ）、図６（Ｄ）に示したソフトウェアキー（データ）をソフトウェアキー記録部１０７から取得し、取得したソフトウェアキーを操作部２１０の表示パネルに表示する。
【００４８】
以後、ソフトウェアキー表示制御部１０６は、表示したソフトウェアキーのキーが操作されると、操作されたキーに対応した処理を実行するように、後述の制御部に指示する。
【００４９】
図８は、前述したソフトウェアキーの表示処理を説明するためのフロー図である。
表示部状態検出部１０３’が表示部１０１の状態を、操作部状態検出部１０４’が操作部２１０の状態を検出し、検出結果をキー入力制御部１０５に出力する（ステップＳ２１、ステップＳ２２）。
【００５０】
図２（Ａ）に示したように、表示部１０１が縦長（ステップＳ２３／縦長）、操作部１０２が縦長（ステップＳ２４／縦長）の場合には、ソフトウェアキー表示制御部１０６は、図６（Ａ）に示したように、通常の電話操作をするためのソフトウェアキー３０１を、操作部２１０の表示パネルに表示する（ステップＳ２５）。
【００５１】
図２（Ｂ）に示したように、表示部１０１が縦長（ステップＳ２３／縦長）、操作部１０２が横長（ステップＳ２４／横長）の場合には、ソフトウェアキー表示制御部１０６は、図６（Ｂ）に示したように、メール用の文章入力（ひらがな入力用）のためのソフトウェアキーを操作部２１０の表示パネルに表示する（ステップＳ２６）。
【００５２】
図２（Ｃ）に示したように、表示部１０１が横長（ステップＳ２３／横長）、操作部１０２が縦長（ステップＳ２７／縦長）の場合には、ソフトウェアキー表示制御部１０６は、図６（Ｃ）に示したように、テレビ視聴用のソフトウェアキーを操作部２１０の表示パネルに表示する（ステップＳ２８）。
【００５３】
図２（Ｄ）に示したように、表示部１０１が横長（ステップＳ２３／横長）、操作部１０２が横長（ステップＳ２７／横長）の場合には、ソフトウェアキー表示制御部１０６は、図６（Ｄ）に示したように、英文字入力用（ＰＣのキーボード）のソフトウェアキーを操作部２１０の表示パネルに表示する（ステップＳ２９）。
【００５４】
以降は、図５のフロー図のステップＳ１０〜ステップＳ１２の処理と同じ処理を実行するので、説明は省略する。
【００５５】
なお、図１では、表示部１０１と操作部１０２とは、互いに対向して折り畳み可能に縦長に連接されているが、縦長だけでなく横長に連接されていてもよい。
表示部１０１が縦長、操作部１０２が横長の状態（図２（Ｂ））では、携帯型端末装置１００の形状は、略逆Ｔ字型であるが、当該形状に限定されず、例えば、略Ｌ字型の形状であってもよい。
同様に、表示部１０１が横長、操作部１０２が縦長の状態（図２（Ｃ））では、携帯型端末装置１００の形状は、略Ｔ字型であるが、当該形状に限定されず、例えば、略逆Ｌ字型の形状であってもよい。
【図面の簡単な説明】
【００５６】
【図１】本発明に係わる携帯型端末装置の表示部及び操作部が折り畳まれている状態を示した図である。
【図２】本発明に係わる携帯型端末装置の表示部及び操作部を開放状態にした様子を示した図である。
【図３】操作部の状態の変化の様子を示した図である。
【図４】本発明に係わる携帯型端末装置のブロック図である。
【図５】キー割り当て制御を説明するためのフロー図である。
【図６】表示部の状態、操作部の状態の変化に応じて表示されるソフトウェアキーを示した図である。
【図７】本発明に係わる他の携帯型端末装置のブロック図である。
【図８】ソフトウェアキーの表示処理を説明するためのフロー図である。
【符号の説明】
【００５７】
１００…携帯型端末装置、１０１…表示部、１０１Ｔ…縦状態の表示部、１０１Ｙ…横状態の表示部、１０２…操作部、１０２Ｔ…縦状態の操作部、１０２Ｙ…横状態の操作部、１０３、１０３’…表示部状態検出部、１０４、１０４’…操作部状態検出部、１０５…キー入力制御部、１０６…ソフトウェアキー表示制御部、１０７…ソフトウェアキー記録部、１１１…無線部、１１２…スピーカ、１１３…マイク、１１４…記憶部、１１５…制御部、２００…ハードウェアキーの操作部、２０１…方向キー、２０２〜２０５…機能キー、２０６…文字入力キー、２０６Ｋ…文字入力キーの１つ、２１０…ソフトウェアキーの操作部、３０１〜３０４…ソフトウェアキー。
【図１】
2009111850.tif 000003
【図２】
2009111850.tif 000004
【図３】
2009111850.tif 000005
【図４】
2009111850.tif 000006
【図５】
2009111850.tif 000007
【図６】
2009111850.tif 000008
【図７】
2009111850.tif 000009
【図８】
2009111850.tif 000010